(57)【要約】【課題】復水器の真空度を高くして発電機出力の増大を図ることができると共に、熱水として回収された排ガス熱エネルギの利用効率を高めることができ、かつ発電設備のコンパクト化および消費電力の低減などを図ることのできる排熱利用電力の発電方法を提供する。【解決手段】復水器１７から排出された冷却水を冷却して復水器１７に供給する手段として吸着式冷凍機１９を用いると共に、吸着式冷凍機１９の吸着剤２７を加熱する熱源水としてフラッシャ１４から排出された温水を用い、かつ吸着式冷凍機１９の吸着剤２７，３１を冷却する冷却水として復水器１７により得られた復水を用いると共に、吸着剤２７，３１から蒸発した冷媒を冷却する冷却水として復水器１７により得られた復水を用いて電力を得るようにした。【選択図】図１
2010144650.tif 000002
【特許請求の範囲】
【請求項１】
排ガスの熱エネルギを熱水として回収する排熱回収手段により得られた熱水を複数段のフラッシャに供給し、前記フラッシャにより得られた蒸気を蒸気タービンに供給して発電機を駆動すると共に、前記蒸気タービンから排出された湿り蒸気を復水器に供給し、前記復水器により得られた前記排熱回収手段に供給して電力を得るに際して、前記復水器から排出された冷却水を冷却して前記復水器に供給する手段として吸着式冷凍機を用いると共に、前記吸着式冷凍機の吸着剤を加熱する熱源水として前記複数段のフラッシャのうち最終段のフラッシャから排出された温水を用い、かつ前記吸着式冷凍機の吸着剤を冷却する冷却水として前記復水器により得られた復水を用いると共に、前記吸着剤から蒸発した冷媒を冷却する冷却水として前記復水器により得られた復水を用いて電力を得るようにしたことを特徴する排熱利用電力の発電方法。
【請求項２】
排ガスの熱エネルギを熱水として回収する排熱回収手段により得られた熱水を複数段のフラッシャに供給し、前記フラッシャにより得られた蒸気を蒸気タービンに供給して発電機を駆動すると共に、前記蒸気タービンから排出された湿り蒸気を復水器に供給し、前記復水器により得られた前記排熱回収手段に供給して電力を得るに際して、前記復水器から排出された冷却水を冷却して前記復水器に供給する手段として吸収式冷凍機を用いると共に、前記吸収式冷凍機の吸収液を加熱する熱源水として前記複数段のフラッシャのうち最終段のフラッシャから排出された温水を用い、かつ前記吸収式冷凍機の吸収液に冷媒を吸収せしめる冷却水として前記復水器により得られた復水を用いると共に、前記吸収液から蒸発した冷媒を冷却する冷却水として前記復水器により得られた復水を用いて電力を得るようにしたことを特徴する排熱利用電力の発電方法。
【発明の詳細な説明】
【技術分野】
【０００１】
本発明は、排ガスの熱エネルギを利用して電力を得る排熱利用電力の発電方法に関する。
【背景技術】
【０００２】
近年、セメント焼成プラント、ゴミ焼却プラント、製鉄所などの各種プラントで発生した排ガスの熱エネルギを利用して電力を得る方法として、例えば、図４に示す発電設備を用いて電力を得る方法が提案されている。
図４に示す発電設備は排ガスの熱エネルギを高温の熱水として回収する排熱回収手段としての排熱回収用熱交換器１１，１２を備えており、これらの排熱回収用熱交換器１１，１２により得られた熱水はフラッシャ１３に供給された後、フラッシャ１３の後段に配置されたフラッシャ１４に供給されるようになっている。
【０００３】
また、図４に示す発電設備は発電機１５を備えており、この発電機１５を駆動する蒸気タービン１６には、フラッシャ１３，１４により得られた飽和蒸気が供給されるようになっている。さらに、図４に示す発電設備は蒸気タービン１６から排出された低圧湿り蒸気を凝縮して復水を得る復水器１７を備えており、この復水器１７により得られた復水は給水ポンプ１８により排熱回収用熱交換器１１，１２に供給されるようになっている。
【０００４】
このような発電設備では、例えば排熱回収用熱交換器１１，１２により得られる熱水の熱量を９５６ｋＪ／ｋｇ、フラッシャ１３により得られる飽和蒸気の熱量を２７８０ｋＪ／ｋｇ、フラッシャ１４により得られる飽和蒸気の熱量を２６８０ｋＪ／ｋｇ、復水器１７に供給される冷却水の温度を２８℃、復水器１７の真空度を０．０５ｂａｒ、復水器１７により得られる復水の温度を３３℃、復水器１７により得られる復水の熱量を２３１０ｋＪ／ｋｇとして発電機１５の出力を計算すると、約２５４６ｋＷの発電機出力を得ることができる。しかし、図示しないクーリングタワーから復水器１７に供給される冷却水の温度が３０℃程度であるため、熱水として回収された排ガスの熱エネルギから大きな電力を得ることが困難であった。
【０００５】
また、排熱回収用熱交換器１１，１２からフラッシャ１３に供給される熱水の供給量を１００ｔ／ｈ、フラッシャ１３から蒸気タービン１６に供給される飽和蒸気の供給量を１２ｔ／ｈ、フラッシャ１３からフラッシャ１４に供給される熱水の供給量を８８ｔ／ｈ、フラッシャ１４から蒸気タービン１６に供給される飽和蒸気の供給量を１０．６ｔ／ｈとすると、約７７．４ｔ／ｈの熱水が４３８ｋＪ／ｋｇの熱量を持った温水としてフラッシャ１４から未利用のまま排出されるため、熱水として回収された排ガスの熱エネルギ利用効率が低いという問題があった。
【０００６】
そこで、この問題を解決するため、図５に示す発電設備を用いて排熱利用電力を得る方法が検討されている。図５に示す発電設備が図４に示した発電設備と異なる点は、復水器１７から排出された冷却水を冷却して復水器１７に供給する手段として吸着式冷凍機１９を用いると共に、吸着式冷凍機１９の吸着剤２７を加熱する熱源水として最終段のフラッシャ１４から排出された温水を用いて電力を得るようにした点である。
【０００７】
ここで、吸着式冷凍機１９は蒸発器２０、吸着器２５，２９、凝縮器３３を備えており、真空状態に減圧された蒸発器２０の内部には、水などの冷媒を散水する冷媒散水管２１が設けられているとともに、冷媒散水管２１から散水された冷媒を蒸発させるための冷媒蒸発管２２が設けられている。
冷媒蒸発管２２には復水器１７から排出された冷却水が供給されており、この復水器１７から冷媒蒸発管２２に供給された冷却水は、冷媒散水管２１から冷媒蒸発管２２に散水された冷媒の気化熱によって１０℃未満に冷却されるようになっている。
【０００８】
蒸発器２０は得られた冷媒蒸気を吸着器２５または吸着器２９内に導入する蒸気ダンパ２３，２４を有しており、これらの蒸気ダンパ２３，２４のうち蒸気ダンパ２３から吸着器２５内に導入された冷媒蒸気は、吸着器２５の吸着運転時に吸着剤熱交換器２６内を流れる冷却水によって冷却されて凝縮し、この吸着剤熱交換器２６に付設されたシリカゲルなどの吸着剤２７に吸着するようになっている。そして、吸着剤２７に吸着した冷媒はｍ吸着器２５の非吸着運転時に吸着剤熱交換器２６内を流れる熱源水によって加熱され、再び冷媒蒸気となって蒸気ダンパ２８から凝縮器３３内に導入されるようになっている。
【０００９】
一方、蒸気ダンパ２４から吸着器２９内に導入された冷媒蒸気は、吸着器２９の吸着運転時に吸着剤熱交換器３０内を流れる冷却水によって冷却されて凝縮し、この吸着剤熱交換器３０に付設されたシリカゲルなどの吸着剤３１に吸着するようになっている。そして、吸着剤３１に吸着した冷媒は、吸着器２９の非吸着運転時に吸着剤熱交換器３０内を流れる熱源水によって加熱され、再び冷媒蒸気となって蒸気ダンパ３２から凝縮器３３内に導入されるようになっている。
【００１０】
吸着器２５または吸着器２９から凝縮器３３内に導入された冷媒蒸気は、冷媒冷却管３４内を流れる冷却水によって冷却された後、冷媒回収トレイ３５により回収されて冷媒散水管２１に供給されるようになっている。なお、冷媒冷却管３４にはクーリングタワー３６により冷却された冷却水が供給されている。
吸着剤熱交換器２６，３０には、クーリングタワー３６により冷却された冷却水とフラッシャ１４から排出された温水（約１００℃）が切替弁３７を介して選択的に供給されるようになっている。この切替弁３７は三つの切替ポジションを有しており、切替弁３７の切替ポジションを図中最も左側の切替ポジションに切り替えると、クーリングタワー３６により冷却された冷水が吸着剤２７を冷却する冷却水として吸着剤熱交換器２６に供給されると共に、フラッシャ１４から排出された約１００℃の温水が吸着剤３１を加熱する熱源水として吸着剤熱交換器３０に供給されるようになっている。
【００１１】
一方、切替弁３７の切替ポジションを図中最も右側の切替ポジションに切り替えると、クーリングタワー３６により冷却された冷水が吸着剤３１を冷却する冷却水として吸着剤熱交換器３０に供給されると共に、フラッシャ１４から排出された約１００℃の温水が吸着剤２７を加熱する熱源水として吸着剤熱交換器２６に供給されるようになっている。
クーリングタワー３６には、吸着剤熱交換器２６，３０内を流れた冷却水が切替弁３８を介して選択的に供給されるようになっている。この切替弁３８は三つの切替ポジションを有しており、切替弁３７の切替ポジションを図中最も左側の切替ポジションに切り替えると、吸着剤熱交換器２６内を流れた冷却水がクーリングタワー３６に供給されると共に、吸着剤熱交換器３０内を流れた温水が給水ポンプ１８に供給されるようになっている。
【００１２】
一方、切替弁３７の切替ポジションを図中最も右側の切替ポジションに切り替えると、吸着剤熱交換器３０内を流れた冷却水がクーリングタワー３６に供給されると共に、吸着剤熱交換器２６内を流れた温水が給水ポンプ１８に供給されるようになっている。
図５に示した発電設備のように、復水器１７から排出された冷却水を冷却して復水器１７に供給する手段として吸着式冷凍機１９を用いると、復水器１７から排出された冷却水が吸着式冷凍機１９により１０℃未満に冷却されて復水器１７に供給される。これにより、クーリングタワーにより得られる冷却水より温度の低い冷却水を復水器１７に供給できるため、復水器１７の真空度を例えば０．０５ｂａｒから０．０２ｂａｒに高くして発電機出力の増大を図ることができる。
【００１３】
例えば、排熱回収用熱交換器１１，１２により得られる熱水の熱量を９５６ｋＪ／ｋｇ、フラッシャ１３により得られる飽和蒸気の熱量を２７８０ｋＪ／ｋｇ、フラッシャ１４により得られる飽和蒸気の熱量を２６８０ｋＪ／ｋｇ、吸着式冷凍機１９から復水器１７に供給される冷却水の温度を７℃、復水器１７の真空度を０．０２ｂａｒ、復水器１７により得られる復水の温度を１７℃とすると、復水器１７により得られる復水の熱量は２２９０ｋＪ／ｋｇとなる。そして、このときの発電機１５の出力を計算すると、約２６６６ｋＷの発電機出力を得ることができ、図４に示した発電設備により得られる発電機出力（約２５４６ｋＷ）より約４．７％高い発電機出力を得ることができる。
また、吸着式冷凍機１９の吸着剤２７，３１を加熱する熱源水として最終段のフラッシャ１４から排出された温水を用いると、熱水として回収された排ガスの熱エネルギが吸着式冷凍機１９の吸着剤２７，３１を加熱する熱源として利用できるため、排ガスの熱エネルギ利用効率を高めることができる。
【発明の開示】
【発明が解決しようとする課題】
【００１４】
しかしながら、図５に示した方法では、吸着式冷凍機１９の吸着剤２７，３１を冷却する冷却水としてクーリングタワー３６により得られた冷却水を用いているため、発電設備全体の構成が大掛かりなものとなってしまうという問題があった。また、給水ポンプ１８の他にクーリングタワー３６を作動させる電力を必要とするため、図４に示した発電設備に比較して、消費電力が大きいという問題もあった。さらに、クーリングタワー３６により得られる冷却水の温度が約３０℃程度であるため、吸着式冷凍機１９から復水器１７に供給される冷却水によって復水器１７の真空度を例えば０．０５ｂａｒから０．０２ｂａｒに高くすることが困難となり、その結果、発電機出力の増大を図ることが難しかった。
本発明は上述した問題点に鑑みてなされたものであり、復水器の真空度を高くして発電機出力の増大を図ることができると共に、熱水として回収された排ガス熱エネルギの利用効率を高めることができ、かつ発電設備のコンパクト化および消費電力の低減などを図ることのできる排熱利用電力の発電方法を提供することを目的とするものである。
【課題を解決するための手段】
【００１５】
上記課題を解決するために、請求項１記載の発明に係る排熱利用電力の発電方法は、排ガスの熱エネルギを熱水として回収する排熱回収手段により得られた熱水を複数段のフラッシャに供給し、前記フラッシャにより得られた蒸気を蒸気タービンに供給して発電機を駆動すると共に、前記蒸気タービンから排出された湿り蒸気を復水器に供給し、前記復水器により得られた前記排熱回収手段に供給して電力を得るに際して、前記復水器から排出された冷却水を冷却して前記復水器に供給する手段として吸着式冷凍機を用いると共に、前記吸着式冷凍機の吸着剤を加熱する熱源水として前記複数段のフラッシャのうち最終段のフラッシャから排出された温水を用い、かつ前記吸着式冷凍機の吸着剤を冷却する冷却水として前記復水器により得られた復水を用いると共に、前記吸着剤から蒸発した冷媒を冷却する冷却水として前記復水器により得られた復水を用いて電力を得るようにしたことを特徴するものである。
【００１６】
請求項２記載の発明に係る排熱利用電力の発電方法は、排ガスの熱エネルギを熱水として回収する排熱回収手段により得られた熱水を複数段のフラッシャに供給し、前記フラッシャにより得られた蒸気を蒸気タービンに供給して発電機を駆動すると共に、前記蒸気タービンから排出された湿り蒸気を復水器に供給し、前記復水器により得られた前記排熱回収手段に供給して電力を得るに際して、前記復水器から排出された冷却水を冷却して前記復水器に供給する手段として吸収式冷凍機を用いると共に、前記吸収式冷凍機の吸収液を加熱する熱源水として前記複数段のフラッシャのうち最終段のフラッシャから排出された温水を用い、かつ前記吸収式冷凍機の吸収液に冷媒を吸収せしめる冷却水として前記復水器により得られた復水を用いると共に、前記吸収液から蒸発した冷媒を冷却する冷却水として前記復水器により得られた復水を用いて電力を得るようにしたことを特徴するものである。
【発明の効果】
【００１７】
請求項１記載の発明に係る排熱利用電力の発電方法では、復水器から排出された冷却水を冷却して復水器に供給する手段として吸着式冷凍機を用いたことにより、復水器から排出された冷却水が吸着式冷凍機により１０℃未満に冷却されて復水器に供給される。これにより、クーリングタワーにより得られる冷却水より温度の低い冷却水を復水器に供給できるため、復水器の真空度を高くして発電機出力の増大を図ることができる。
また、吸着式冷凍機の吸着剤を加熱する熱源水として最終段のフラッシャから排出された温水を用いたことにより、最終段のフラッシャから排出された温水を吸着式冷凍機の吸着剤を加熱する熱源として利用できるため、排ガスの熱エネルギ利用効率を高めることができる。
【００１８】
さらに、吸着式冷凍機の吸着剤を冷却する冷却水として復水器により得られた復水を用いると共に、吸着剤から蒸発した冷媒を冷却する冷却水として復水器により得られた復水を用いたことにより、吸着式冷凍機の吸着剤を冷却する冷却水や吸着剤から蒸発した冷媒を冷却する冷却水としてクーリングタワーにより得られた冷却水を用いる必要がないので、発電設備のコンパクト化および消費電力の低減などを図ることができる。
また、復水器により得られる復水の温度はクーリングタワーにより得られる冷却水の温度より低いので、吸着式冷凍機の吸着剤を冷却する冷却水や吸着剤から蒸発した冷媒を冷却する冷却水としてクーリングタワーにより得られた冷却水を用いた場合と比較して、発電機出力の増大を図ることができる。
【００１９】
請求項２記載の発明に係る排熱利用電力の発電方法では、復水器から排出された冷却水を冷却して復水器に供給する手段として吸収式冷凍機を用いたことにより、復水器から排出された冷却水が吸収式冷凍機により１０℃未満に冷却されて復水器に供給される。これにより、クーリングタワーにより得られる冷却水より温度の低い冷却水を復水器に供給できるため、復水器の真空度を高くして発電機出力の増大を図ることができる。
また、吸収式冷凍機の吸収液を加熱する熱源水として最終段のフラッシャから排出された温水を用いたことにより、最終段のフラッシャから排出された温水が吸収式冷凍機の吸収液を加熱する熱源水として利用されるため、排ガスの熱エネルギ利用効率を高めることができる。
【００２０】
さらに、吸収式冷凍機の吸収液に冷媒を吸収せしめる冷却水として復水器により得られた復水を用いると共に、吸収液から蒸発した冷媒を冷却する冷却水として復水器により得られた復水を用いたことにより、吸収式冷凍機の吸収液に冷媒を吸収せしめる冷却水や吸収液から蒸発した冷媒を冷却する冷却水としてクーリングタワーにより得られた冷却水を用いる必要がないので、発電設備のコンパクト化および消費電力の低減などを図ることができる。
また、復水器により得られる復水の温度はクーリングタワーにより得られる冷却水の温度より低いので、吸収式冷凍機の吸収液に冷媒を吸収せしめる冷却水や吸収液から蒸発した冷媒を冷却する冷却水としてクーリングタワーにより得られた冷却水を用いた場合と比較して、発電機出力の増大を図ることができる。
【発明を実施するための最良の形態】
【００２１】
以下、図１〜図３を参照して本発明に係る排熱利用電力の発電方法について説明するが、図５に示したものと同一の部分には同一の符号を付し、その詳細な説明は割愛する。
図１は本発明に係る排熱利用電力の発電方法を実施するための第１の実施形態を示す図であり、同図に示されるように、吸着式冷凍機１９の吸着剤熱交換器２６，３０には、復水器１７により得られた復水とフラッシャ１４から排出された温水（約１００℃）が切替弁３７を介して選択的に供給されるようになっている。
【００２２】
切替弁３７は三つの切替ポジションを有しており、切替弁３７の切替ポジションを図中最も左側の切替ポジションに切り替えると、復水器１７により得られた復水が吸着剤２７を冷却する冷却水として吸着剤熱交換器２６に供給されると共に、フラッシャ１４から排出された約１００℃の温水が吸着剤３１を加熱する熱源水として吸着剤熱交換器３０に供給されるようになっている。そして、復水器１７から吸着剤熱交換器３０に供給された復水は吸着剤熱交換器３０内を流れた後、給水ポンプ１８に供給されるようになっている。
【００２３】
一方、切替弁３７の切替ポジションを図中最も右側の切替ポジションに切り替えると、復水器１７により得られた復水が吸着剤３１を冷却する冷却水として吸着剤熱交換器３０に供給されると共に、フラッシャ１４から排出された約１００℃の温水が吸着剤２７を加熱する熱源水として吸着剤熱交換器２６に供給されるようになっている。そして、復水器１７から吸着剤熱交換器２６に供給された復水は吸着剤熱交換器２６内を流れた後、給水ポンプ１８に供給されるようになっている。
【００２４】
吸着式冷凍機１９の吸着器２５または吸着器２９から凝縮器３３内に導入された冷媒蒸気は、冷媒冷却管３４内を流れる冷却水によって冷却されるようになっている。この冷媒冷却管３４には復水器１７により得られた復水が吸着剤２７，３１から蒸発した冷媒を冷却する冷却水として供給されており、復水器１７から冷媒冷却管３４に供給された復水は、冷媒冷却管３４内を流れた後、給水ポンプ１８に供給されるようになっている。
【００２５】
上述した第１の実施形態のように、復水器１７から排出された冷却水を冷却して復水器１７に供給する手段として吸着式冷凍機１９を用いると、復水器１７から排出された冷却水が吸着式冷凍機１９により１０℃未満に冷却されて復水器１７に供給される。これにより、クーリングタワーにより得られる冷却水より温度の低い冷却水を復水器１７に供給できるため、復水器１７の真空度を例えば０．０５ｂａｒから０．０２ｂａｒに高くして発電機出力の増大を図ることができる。
【００２６】
また、吸着式冷凍機１９の吸着剤２７，３１を加熱する熱源水として最終段のフラッシャ１４から排出された約１００℃の温水を用いると、最終段のフラッシャ１４から排出された温水が吸着式冷凍機１９の吸着剤２７，３１を加熱する熱源水として利用されるため、熱水として回収された排ガスの熱エネルギ利用効率を高めることができる。
さらに、吸着式冷凍機１９の吸着剤２７，３１を冷却する冷却水として復水器１７により得られた復水を用いると共に、吸着剤２７，３１から蒸発した冷媒を冷却する冷却水として復水器１７により得られた復水を用いると、吸着式冷凍機１９の吸着剤２７，３１を冷却する冷却水や吸着剤２７，３１から蒸発した冷媒を冷却する冷却水としてクーリングタワーにより得られた冷却水を用いる必要がないので、発電設備のコンパクト化および消費電力の低減などを図ることができる。
【００２７】
また、吸着式冷凍機１９の吸着剤２７，３１を冷却する冷却水として復水器１７により得られた復水を用いると共に、吸着剤２７，３１から蒸発した冷媒を冷却する冷却水として復水器１７により得られた復水を用いると、復水器１７により得られる復水の温度（約１７℃）はクーリングタワーにより得られる冷却水の温度（約３０℃）より低いので、吸着式冷凍機１９の吸着剤２７，３１を冷却する冷却水や吸着剤２７，３１から蒸発した冷媒を冷却する冷却水としてクーリングタワーにより得られた冷却水を用いた場合と比較して、発電機出力の増大を図ることができる。
フラッシャ１４から吸着式冷凍機１９の吸着剤熱交換器２６，３０に供給される温水の温度を６０℃、吸着式冷凍機１９から復水器１７に供給される冷却水の温度を７℃として、吸着式冷凍機１９に供給される冷却水温度と吸着式冷凍機１９から復水器１７に供給される冷却水供給量との関係を求めた結果を図２に示す。
【００２８】
図２に示されるように、クーリングタワーから吸着式冷凍機１９に供給される冷却水の温度が３０℃の場合には吸着式冷凍機１９から復水器１７に供給される冷却水供給量が１Ｔ/ｈであるに対し、復水器１７から吸着式冷凍機１９に供給される冷却水の温度が１７℃の場合には吸着式冷凍機１９から復水器１７に供給される冷却水供給量が約３倍程度増大することがわかる。したがって、吸着式冷凍機１９の吸着剤２７，３１を冷却する冷却水として復水器１７により得られた復水を用いると共に、吸着剤２７，３１から蒸発した冷媒を冷却する冷却水として復水器１７により得られた復水を用いることにより、復水器１７により得られる復水の温度（約１７℃）はクーリングタワーにより得られる冷却水の温度（約３０℃）より低いので、吸着式冷凍機１９の吸着剤２７，３１を冷却する冷却水や吸着剤２７，３１から蒸発した冷媒を冷却する冷却水としてクーリングタワーにより得られた冷却水を用いた場合と比較して、発電機出力の増大を図ることができる。
【００２９】
図３は本発明に係る排熱利用電力の発電方法を実施するための第２の実施形態を示す図であり、第２の実施形態が図１に示した第１の実施形態と異なる点は、復水器１７から排出された冷却水を冷却して復水器１７に供給する手段として吸収式冷凍機４０を用いると共に、吸収式冷凍機４０の吸収液４７を加熱する熱源水として最終段のフラッシャ１４から排出された温水を用い、かつ吸収式冷凍機４０の吸収液４７に冷媒を吸収せしめる冷却水として復水器１７により得られた復水を用いると共に、吸収液４７から蒸発した冷媒を冷却する冷却水として復水器１７により得られた復水を用いて電力を得るようにした点である。
【００３０】
ここで、吸収式冷凍機４０は蒸発器４１、吸収器４６、再生器５０、凝縮器５３を備えており、蒸発器４１の内部には、冷媒としての水が貯溜されていると共に、冷媒を散水する冷媒散水管４３および冷媒を蒸発させるための冷媒蒸発管４２が設けられている。
冷媒蒸発管４２には復水器１７から排出された冷却水が供給されており、この復水器１７から冷媒蒸発管４２に供給された冷却水は、冷媒散水管４３から冷媒蒸発管４２に散水された冷媒の気化熱によって１０℃未満に冷却されるようになっている。なお、蒸発器４１内に貯溜された冷媒は冷媒ポンプ４４により冷媒散水管４３に供給されるようになっている。
【００３１】
蒸発器４１で発生した冷媒蒸気は、冷媒導入ダクト４５を通って吸収器４６内に導入されるようになっている。この吸収器４６の内部には臭化リチウム水溶液などの吸収液４７が貯溜されていると共に、吸収器４６内に導入された冷媒蒸気を冷却して吸収液４７に吸収させるための冷媒冷却管４８が設けられている。
吸収器４６内に貯溜された吸収液４７は、送液ポンプ４９により再生器５０内に供給されるようになっている。この再生器５０の内部には吸収液加熱管５１が設けられ、送液ポンプ４９により再生器５０内に供給された吸収液４７は吸収液加熱管５１内を流れる熱源水により加熱されるようになっている。
【００３２】
吸収液４７に吸収された冷媒は、フラッシャ１４から吸収液加熱管５１に熱源水として供給された温水により吸収液４７が加熱されることによって再生器５０内で蒸発した後、冷媒導入ダクト５２を通って凝縮器５３に導入されるようになっている。そして、凝縮器５３内に導入された冷媒は冷媒冷却管５４内を流れる冷水により冷却され、液冷媒となって凝縮器５３内に貯溜されるようになっている。なお、凝縮器５３内に貯溜された冷媒は冷媒戻し管５５を経て蒸発器４１内に戻されるようになっている。
【００３３】
冷媒冷却管４８，５４には復水器１７により得られた復水が冷媒を冷却する冷却水として供給されており、冷媒冷却管４８，５４に供給された冷却水は冷媒を冷却した後、給水ポンプ１８に供給されるようになっている。
上述した第２の実施形態のように、復水器１７から排出された冷却水を冷却して復水器１７に供給する手段として吸収式冷凍機４０を用いると、復水器１７から排出された冷却水が吸収式冷凍機４０により１０℃未満に冷却されて復水器１７に供給される。これにより、クーリングタワーにより得られる冷却水より温度の低い冷却水を復水器１７に供給できるため、復水器１７の真空度を例えば０．０５ｂａｒから０．０２ｂａｒに高くして発電機出力の増大を図ることができる。
【００３４】
また、吸収式冷凍機４０の吸収液４７を加熱する熱源水として最終段のフラッシャ１４から排出された温水を用いると、最終段のフラッシャ１４から排出された温水が吸収式冷凍機４０の吸収液４７を加熱する熱源水として利用されるため、熱水として回収された排ガスの熱エネルギ利用効率を高めることができる。
さらに、吸収式冷凍機４０の吸収液４７に冷媒を吸収せしめる冷却水として復水器１７により得られた復水を用いると共に、吸収液４７から蒸発した冷媒を冷却する冷却水として復水器１７により得られた復水を用いると、吸収式冷凍機４０の吸収液４７に冷媒を吸収せしめる冷却水や吸収液４７から蒸発した冷媒を冷却する冷却水としてクーリングタワーにより得られた冷却水を用いる必要がないので、発電設備のコンパクト化および消費電力の低減などを図ることができる。
【００３５】
また、吸収式冷凍機４０の吸収液４７に冷媒を吸収せしめる冷却水として復水器１７により得られた復水を用いると共に、吸収液４７から蒸発した冷媒を冷却する冷却水として復水器１７により得られた復水を用いると、復水器１７により得られる復水の温度（約１７℃）はクーリングタワーにより得られる冷却水の温度（約３０℃）より低いので、吸収式冷凍機４０の吸収液４７に冷媒を吸収せしめる冷却水や吸収液４７から蒸発した冷媒を冷却する冷却水としてクーリングタワーにより得られた冷却水を用いた場合と比較して、発電機出力の増大を図ることができる。
上述した第１及び第２の実施形態では、排ガスの熱エネルギを排熱回収用熱交換器１１，１２により熱水として回収するようにしたが、例えば排ガスの熱エネルギを排熱回収用ボイラにより熱水として回収するようにしてもよい。
【図面の簡単な説明】
【００３６】
【図１】本発明に係る排熱利用電力の発電方法を実施するための第１の実施形態を示す図である。
【図２】本発明の第１の実施形態において、吸着式冷凍機に供給される冷却水温度と吸着式冷凍機から復水器に供給される冷却水供給量との関係を示す図である。
【図３】本発明に係る排熱利用電力の発電方法を実施するための第２の実施形態を示す図である。
【図４】従来の排熱利用電力の発電方法を説明するための図である。
【図５】従来の排熱利用電力の発電方法を説明するための図である。
【符号の説明】
【００３７】
１１，１２         排熱回収用熱交換器
１３，１４  フラッシャ
１５  発電機
１６  蒸気タービン
１７  復水器
１８  給水ポンプ
１９  吸着式冷凍機
２０  蒸発器
２１  冷媒散水管
２２  冷媒蒸発管
２３，２４，２８，３２  蒸気ダンパ
２５，２９  吸着器
２６，３０  吸着剤熱交換器
２７，３１  吸着剤
３３  凝縮器
３４  冷媒冷却管
３５  冷媒回収トレイ
３６  クーリングタワー
３７，３８  切替弁
４０  吸収式冷凍機
４１  蒸発器
４２  冷媒蒸発管
４３  冷媒散水管
４４  冷媒ポンプ
４５  冷媒導入ダクト
４６  吸収器
４７  吸収液
４８  冷媒冷却管
４８，５４  冷媒冷却管
４９  送液ポンプ
５０  再生器
５１  吸収液加熱管
５２  冷媒導入ダクト
５３  凝縮器
５４  冷媒冷却管
５５  冷媒戻し管
【図１】
2010144650.tif 000003
【図２】
2010144650.tif 000004
【図３】
2010144650.tif 000005
【図４】
2010144650.tif 000006
【図５】
2010144650.tif 000007